(57)【要約】【課題】高所の掃除が容易な電気掃除機用吸込具を提供する。【解決手段】塵埃を吸引する開口部（図示せず）を有する吸込具本体（図示せず）と、前記吸込具本体に対して上下左右回動自在の接続管１２を後方に連通させて有すると共に前記吸込具本体と着脱自在で、前記吸込具本体に取り付けられたときに前記吸込具本体と連通する分離吸込具７とを備え、前記分離吸込具７の内部に、前記接続管１２と連通すると共に上下に回動自在の接続回動管１６を設けたもので、接続回動管１６に掃除用のアタッチメント１７を取り付けると、そのアタッチメント１７を上下に動かすことができるため、高所の水平面などを掃除しやすく、かつ破損し難いために長く安定して使用できる電気掃除機用吸込具を提供することができる。【選択図】図５
2013094211.tif 000002
【特許請求の範囲】
【請求項１】
塵埃を吸引する開口部を有する吸込具本体と、前記吸込具本体に対して上下左右回動自在の接続管を後方に連通させて有すると共に前記吸込具本体と着脱自在で、前記吸込具本体に取り付けられたときに前記吸込具本体と連通する分離吸込具とを備え、前記分離吸込具の内部に、前記接続管と連通すると共に上下に回動自在の接続回動管を設けた電気掃除機用吸込具。
【請求項２】
接続回動管を、下方に９０度動くように設けた請求項１に記載の電気掃除機用吸込具。
【請求項３】
電動送風機を内蔵した掃除機本体と、一端が前記掃除機本体に接続される吸引ホースと、前記吸引ホースの他端に接続される吸引延長管と、請求項１又は２に記載の電気掃除機用吸込具とを備え、前記吸引延長管と前記電気掃除機用吸込具とを着脱自在とした電気掃除機。
【発明の詳細な説明】
【技術分野】
【０００１】
本発明は、電気掃除機用吸込具およびそれを用いた電気掃除機に関するものである。
【背景技術】
【０００２】
従来この種の電気掃除機用吸込具は、掃除機本体に接続された延長管の先端に、上下動自在な連結部を介して分離吸込具を取り付け、この分離吸込具を、吸込具本体の一部に着脱自在に接続してなる構成となっている。そして、吸込具本体では掃除しにくい狭い場所を掃除する際には、吸込具本体から分離吸込具を離脱させて掃除を行うようになっていた。また、分離吸込具にて高所を清掃作業する際には、連結部が上下に各９０度づつ回動するために、踏み台などを使わずに延長管を介して清掃作業を行うことができるものである（例えば、特許文献１参照）。
【０００３】
具体的な構成として例えば、上記特許文献１には、塵埃を吸引する開口部を有する吸込具本体と、吸込具本体に対して上下回動自在の接続管を後方に連通させて有すると共に吸込具本体と着脱自在で、吸込具本体に取り付けられたときに、吸込具本体と連通する分離吸込具とを備え、分離吸込具を吸込具本体に取り付けたときに、接続管が吸込具本体の水平面に対して上下に一定の角度を回動する構成が記載されている。
【先行技術文献】
【特許文献】
【０００４】
【特許文献１】特開２００６−２３０８６９号公報
【発明の概要】
【発明が解決しようとする課題】
【０００５】
しかしながら、前記従来の電気掃除機用吸込具の構成では、接続管を上下に回動する構造を作るには関節部の構造が複雑になり、吸込具本体で常に可動する接続管の耐久性・強度性が低下して破損する可能性が高いという課題を有していた。
【０００６】
本発明は、前記従来の課題を解決するもので、接続管の構成を複雑にすることなく高所の水平面を清掃する作業がしやすい電気掃除機用吸込具及び電気掃除機を提供することを目的とする。
【課題を解決するための手段】
【０００７】
前記従来の課題を解決するために、本発明の電気掃除機用吸込具は、塵埃を吸引する開口部を有する吸込具本体と、前記吸込具本体に対して上下左右回動自在の接続管を後方に連通させて有すると共に前記吸込具本体と着脱自在で、前記吸込具本体に取り付けられたときに前記吸込具本体と連通する分離吸込具とを備え、前記分離吸込具の内部に、前記接続管と連通すると共に上下に回動自在の接続回動管を設けたもので、接続回動管に掃除用のアタッチメントを取り付けると、そのアタッチメントを上下に動かすことができるため、高所の水平面などを掃除しやすく、かつ破損し難いため、長く安定して使用できる電気掃除機用吸込具を提供することができる。
【０００８】
また、本発明の電気掃除機は、電動送風機を内蔵した掃除機本体と、一端が前記掃除機本体に接続される吸引ホースと、前記吸引ホースの他端に接続される吸引延長管と、請求項１又は２に記載の電気掃除機用吸込具とを備え、前記吸引延長管と前記電気掃除機用吸込具とを着脱自在としたもので、高所の水平面などを掃除しやすく、かつ破損し難いため、長く安定して使用できる電気掃除機を提供することができる。
【発明の効果】
【０００９】
本発明の電気掃除機用吸込具およびそれを用いた電気掃除機は、分離吸込具の先端部に上下に回動する接続回動管を設けたことで、その接続回動管にアタッチメントを取り付けたときに、アタッチメントを上下に動かすことができるため、高所の水平面などを掃除しやすく、かつ破損し難いため、長く安定して使用することができる。
【図面の簡単な説明】
【００１０】
【図１】本発明の実施の形態１における電気掃除機用吸込具を備えた電気掃除機の斜視図
【図２】同電気掃除機用吸込具の上面図
【図３】同電気掃除機用吸込具の側部断面図
【図４】同電気掃除機用吸込具の分離吸込具の側部断面図
【図５】同分離吸込具にアタッチメントを取り付けた側部断面図
【発明を実施するための形態】
【００１１】
第１の発明は、塵埃を吸引する開口部を有する吸込具本体と、前記吸込具本体に対して上下左右回動自在の接続管を後方に連通させて有すると共に前記吸込具本体と着脱自在で、前記吸込具本体に取り付けられたときに前記吸込具本体と連通する分離吸込具とを備え、前記分離吸込具の内部に、前記接続管と連通すると共に上下に回動自在の接続回動管を設けたもので、接続回動管に掃除用のアタッチメントを取り付けると、そのアタッチメントを上下に動かすことができるため、高所の水平面などを掃除しやすく、かつ破損し難いため、長く安定して使用できる電気掃除機用吸込具を提供することができる。
【００１２】
第２の発明は、特に、第１の発明の接続回動管を、下方に９０度動くように設けたもので、接続回動管にアタッチメントを接続したときに、分離吸込具に対して直角の角度を有することになり分離吸込具を持ち上げて高所の面に対してアタッチメントを水平に当てることが出るため、掃除性能および掃除作業性を向上させることができるものである。
【００１３】
第３の発明は、電動送風機を内蔵した掃除機本体と、一端が前記掃除機本体に接続される吸引ホースと、前記吸引ホースの他端に接続される吸引延長管と、請求項１又は２に記載の電気掃除機用吸込具とを備え、前記吸引延長管と前記電気掃除機用吸込具とを着脱自在としたもので、高所の水平面などを掃除しやすく、かつ破損し難いため、長く安定して使用できる電気掃除機を提供することができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における電気掃除機用吸込具を備えた電気掃除機の斜視図、図２は、同電気掃除機用吸込具の上面図、図３は、同電気掃除機用吸込具の側部断面図、図４は、同電気掃除機用吸込具の分離吸込具の側部断面図、図５は、同分離吸込具にアタッチメントを取り付けた側部断面図である。
【００１６】
図１に示すように、本実施の形態に係る電気掃除機用吸込具２０は、吸込具本体８と分離吸込具７からなり、典型的なキャニスター型の電気掃除機１に主に使用されるものである。すなわち、電気掃除機１は、掃除機本体２と、吸引ホース３と、手元操作部４と、吸引延長管５と、電気掃除機用吸込具２０を備えている。
【００１７】
掃除機本体２は、電動送風機９と、集塵室１０を備えており、接続パイプ１１を介して
吸引ホース３の一方の端が着脱自在に接続されている。吸引ホース３の他方の端には、手元操作部４が設けられており、この手元操作部４の先端に対して、吸引延長管５の一方の端が着脱自在に接続されている。さらに、吸引延長管５の他方の端には、電気掃除機用吸込具２０が着脱自在に取り付けられている。
【００１８】
電気掃除機１の使用時には、手元操作部４を操作して、掃除機本体２の電源を入れる。これにより、電動送風機９の動作によって、吸引ホース３、吸引延長管５を介して、電気掃除機用吸込具２０に吸引力が発生するので、床面上の塵埃が吸引され、吸引延長管５、吸引ホース３、接続パイプ１１を介して集塵室１０に集められる。
【００１９】
使用者は、手元操作部４を把持して、床面上で、電気掃除機用吸込具２０の位置を移動させることで、掃除する床面の領域を変える。
【００２０】
また、床面ではなく、部屋の隅、家具等の隙間等の狭い領域を掃除したい場合には、吸引延長管５または、電気掃除機用吸込具２０を取り外し、掃除を行う。さらに、使用者にとって見え難い位置または高い位置の掃除を行いたい場合には、吸込具本体８に設けたペダル６を踏むことにより、吸込具本体８に取り付けられた分離吸込具７を取り外すことにより行う。
【００２１】
電気掃除機１における具体的な構成、すなわち、掃除機本体２、吸引ホース３、手元操作部４、吸引延長管５等は特に限定されず、電気掃除機の分野で公知の各種構成を好適に用いることができる。
【００２２】
次に、本実施の形態に係る電気掃除機用吸込具２０の具体的な構成について、図２から図５を参照して説明する。
【００２３】
本実施の形態に係る電気掃除機用吸込具２０は、底面に塵埃を吸引するための開口部８ａを備えた吸込具本体８と、吸込具本体８に着脱自在に装着される分離吸込具７から構成され、分離吸込具７の中央近傍の後方部には、電気掃除機用吸込具２０の外郭の一部を成すと共に吸引延長管５と接続する接続管１２が設けられ、接続管１２は、上下左右回動自在に構成されている。
【００２４】
分離吸込具７は、上記接続管１２と、接続管１２の前方に位置する本体１３からなり、本体１３は、上部材１４と下部材１５を組み合わせて構成されている。接続管１２は、上部材１４と下部材１５に挟持されている。また、本体１３の内側は、空洞であり接続管１２と連通しているが、本体１３内部にあり、上下動可能なように、上部材１４と下部材１５に挟持された接続回動管１６が設けられている。
【００２５】
接続回動管１６は、本体１３の前端部よりも奥まったところに位置し、接続回動管１６は中空に設けられ、接続管１２と連通するように構成されている。接続回動管１６の回動軸（図示せず）は、本体１３の中央部近傍に設けられている。また、接続回動管１６の先端には、アタッチメント１７が取り付けられるようになっている。
【００２６】
分離吸込具７は、吸込具本体８に収まり、吸込具本体８の後方に向かって突出する凸部（図示せず）に本体１３を差込むことによって分離吸込具７を吸込具本体８に固定することになる。
【００２７】
吸込具本体８には、分離吸込具７に対して左右どちらかにペダル６が設けられている。ペダル６を押すことにより、分離吸込具７が吸込具本体８より押し上げられるため分離することになる。従って、分離吸込具７を使用するにはペダル６を踏む必要がある。
【００２８】
次に、吸込具本体８を使用する際の動作について記載する。狭い箇所や高所などを清掃する際に、吸込具本体８を使用したままでは重たいことや入らないなど清掃作業に支障をきたす場面がある。その際にはペダル６を踏むことにより分離吸込具７を分離させて使用する。
【００２９】
従来、特に、高所における清掃作業で、タンス（図示せず）の上などの平面のホコリを吸込みたいときなどは、脚立などを準備して電気掃除機１を片手に持ちながら作業を行う必要があった。これは、吸引延長管５などを持ち上げても吸引延長管５の開口部が上方を向いてしまうため清掃作業を行うことができないためである。そこで本実施の形態では、分離吸込具７の接続回動管１６の先にアタッチメント１７を接続し、それを任意の角度に回動させた後に、高所平面の清掃作業をアタッチメント１７により行うことができる。
この状態ならば、電気掃除機１を持ち上げて、脚立などの準備をすることなく、簡便に高所の平面部の清掃作業を行うことができるものである。
【００３０】
また、接続回動管１６は、本体１３の内部に納められて上部材１４と下部材１５に挟まれてなる単純な構成であるために破損する危険性も少なく、使い勝手のよい構成となっている。
【００３１】
また、電気掃除機１に連通接続された吸引延長管５の先端と上記実施の形態における電気掃除機用吸込具２０とが着脱自在なので、高所の水平面などが掃除しやすく、かつ破損し難いため、長く安定して使用できる電気掃除機を提供することができる。
【産業上の利用可能性】
【００３２】
以上のように、本発明にかかる電気掃除機用吸込具及び電気掃除機は、分離吸込具に上下に回動する接続回動管を設け、その先端にアタッチメントが取り付けられるようにしたので、アタッチメントを上下に動かすことができるため高所の水平面などを掃除しやすく、かつ破損し難いために長く安定して使用することができる。
【符号の説明】
【００３３】
７  分離吸込具
８  吸込具本体
８ａ  開口部
１２  接続管
１６  接続回動管
２０  電気掃除機用吸込具
【図１】
2013094211.tif 000003
【図２】
2013094211.tif 000004
【図３】
2013094211.tif 000005
【図４】
2013094211.tif 000006
【図５】
2013094211.tif 000007